(57)【特許請求の範囲】
【請求項１】
液体を収容する容器が内部に設けられた本体と、該本体の開口を閉塞する蓋体と、前記液体を加熱する加熱手段とからなり、前記液体から生じた蒸気が、前記蓋体下面に設けられた蒸気流入口と前記蓋体上面に設けられた蒸気排出口とを接続する蒸気通路を介して前記本体外部に排出可能である貯湯容器において、
前記蒸気通路に前記液体を貯水するための複数の貯水部を設けるとともに、それぞれの前記複数の貯水部に、前記蒸気通路の上流側と接続された貯水部流入口および前記蒸気通路の下流側と接続された貯水部流出口を設け、前記複数の貯水部は前記蒸気通路を介して順次連通するように配設されており、前記蒸気流入口および複数の前記貯水部流出口の少なくとも１つは、前記貯湯容器が転倒した場合の前記容器内の液体の液位より上方に位置することを特徴とする貯湯容器。
【請求項２】
前記複数の貯水部を前記蓋体内部において階層式に配設したことを特徴とする請求項１に記載の貯湯容器。
【請求項３】
前記複数の貯水部のうち前記蓋体下面側に位置する貯水部の前記貯水部流入口は、前記蓋体の蒸気流入口であることを特徴とする請求項１または２に記載の貯湯容器。
【請求項４】
前記蓋体下面側に位置する貯水部は、前記蓋体下部に取り付けられた中板と内蓋とからなることを特徴とする請求項３に記載の貯湯容器。
【請求項５】
前記複数の貯水部のうち前記蓋体上面側に位置する貯水部の前記貯水部流出口は、前記蓋体の蒸気排出口であることを特徴とする請求項１から４のいずれかに記載の貯湯容器。
【請求項６】
前記蒸気通路に３つの前記貯水部を設けるとともに、前記蒸気流入口および３つの前記貯水部流出口の少なくとも１つは、前記貯湯容器が前後左右のいずれかの方向に転倒した場合の前記容器内の液体の液位より上方に位置することを特徴とする請求項１から５のいずれかに記載の貯湯容器。
【請求項７】
前記貯水部に、前記貯湯容器が転倒した場合の前記液体の液位より上方に位置する圧力逃し用の小孔を設けたことを特徴とする請求項１から６のいずれかに記載の貯湯容器。
【請求項８】
前記貯水部に、圧力逃し用の通路を設け、
該通路の両端部は、前記貯湯容器が前方に転倒した場合の前記液体の液位より上方に位置するとともに、異なる前記貯水部にそれぞれ位置し、
該通路の一部は、前記貯湯容器が後方に転倒して該通路の両端部が前記液体の液位より下方に位置する場合の液位より上方に位置することを特徴とする請求項１から６のいずれかに記載の貯湯容器。
【請求項９】
前記貯水部の底面に、前記貯水部内に結露した液体を前記蒸気通路を介して再び前記容器内に環流させるための斜面を形成したことを特徴とする請求項１から８のいずれかに記載の貯湯容器。
【請求項１０】
前記貯水部流出口または前記貯水部流入口に、弾性体からなる舌片を設けたことを特徴とする請求項１から９のいずれかに記載の貯湯容器。
【請求項１１】
前記内蓋に、複数の貫通口を設け、該貫通口の少なくとも１つは前記貯湯容器が転倒した場合の前記液体の液位より上方に位置することを特徴とする請求項４から１０のいずれかに記載の貯湯容器。
【請求項１２】
前記蓋体内部に前記貯水部の貯水部流入口が形成される中板を設け、
該中板に形成された貯水部流入口は前記貯湯容器が後方と右方又は左方の２方向に転倒した場合の前記液体の液位より上方に位置することを特徴とする請求項４から１１のいずれかに記載の貯湯容器。
【請求項１３】
前記内蓋と前記中板は、前記内蓋の外縁部に設けられた内蓋パッキンを介して一体であることを特徴とする請求項４から１２のいずれかに記載の貯湯容器。
【請求項１４】
液体を収容する容器が内部に設けられた本体と、該本体の開口を閉塞する蓋体と、前記液体を加熱する加熱手段とからなり、前記液体から生じた蒸気が、前記蓋体下面に設けられた蒸気流入口と前記蓋体上面に設けられた蒸気排出口とを接続する蒸気通路を介して前記本体外部に排出可能である貯湯容器において、
前記蒸気通路に前記液体を貯水するための貯水部を設け、
前記貯水部に、圧力逃し用の第１通路および第２通路を設け、
前記貯湯容器が後方に転倒して前記第１通路の上流端が前記液体の液位より下方に位置する場合、前記第１通路の一部は前記液位より上方に位置するとともに、前記第２通路の上流端は前記液体の液位より上方に位置し、
前記貯湯容器が前方に転倒して前記第２通路の上流端が前記液体の液位より下方に位置する場合、前記第２通路の一部は前記液位より上方に位置するとともに、前記第１通路の上流端は前記液体の液位より上方に位置することを特徴とする貯湯容器。
【請求項１５】
前記貯水部の前記貯水部流入口は、前記蓋体の蒸気流入口であることを特徴とする請求項１４に記載の貯湯容器。
【請求項１６】
前記貯水部は、前記蓋体下部に取り付けられた中板と内蓋とからなることを特徴とする請求項１４または１５に記載の貯湯容器。
【請求項１７】
前記貯水部の底面に、前記貯水部内に結露した液体を前記蒸気通路を介して再び前記容器内に環流させるための斜面を形成したことを特徴とする請求項１４から１６のいずれかに記載の貯湯容器。
【請求項１８】
前記内蓋に、複数の貫通口を設け、該貫通口の少なくとも１つは前記貯湯容器が転倒した場合の前記液体の液位より上方に位置することを特徴とする請求項１４から１７のいずれかに記載の貯湯容器。
【請求項１９】
前記内蓋と前記中板は、前記内蓋の外縁部に設けられた内蓋パッキンを介して一体であることを特徴とする請求項１４から１８のいずれかに記載の貯湯容器。
【発明の詳細な説明】
【０００１】
【発明の属する技術分野】
本発明は、電気ポットなどの貯湯容器に関するものである。
【０００２】
【従来の技術】
従来の貯湯容器である電気ポットは、容器を収容する本体と該本体の上端開口部を閉塞する蓋体とからなり、この蓋体内部には蒸気通路が設けられている。この蒸気通路は、前述した容器内の液体を加熱した際に液体から生じる蒸気により容器内圧が上昇するのを防止するために、容器内部と本体外部とを連通させて蒸気を外部へ排出するようなっている。
【０００３】
また、蒸気通路に、本体が転倒または傾斜したとき容器内に収容された液体が前記蒸気通路を介して本体外部へ流出することを防止するための流出防止機構が設けられている。
【０００４】
この流出防止機構は、例えば、蒸気通路途中に球形状または円錐形状の弁体を設け、この弁体が転倒または傾斜時に蒸気通路を閉塞するように作動することにより液体の流出を防止したものや、蒸気通路を蓋体内部において迂回させることにより転倒時に液体が本体外部に流出しにくくしたものが知られている。
【０００５】
【発明が解決しようとする課題】
しかしながら、前記従来の貯湯容器では、弁体が故障して作動しない場合や蓋体を急激に閉じた場合などに、蒸気通路内の内圧が急激に上昇して吐出口より液体が自然に流れ出したり、または蒸気吐出口からの蒸気流出が生じるという問題があった。また、蒸気通路を迂回させた流出防止機構の場合、容器内の液体の沸騰中または沸騰直後に本体が転倒した場合、容器内の内圧上昇により液体が外部へ流出してしまうという問題があった。
【０００６】
そこで、本発明は、本体転倒時に蒸気通路を介して液体が流出するのを確実に防止して安全性を向上させた貯湯容器を提供することを課題とする。
【０００７】
【課題を解決するための手段】
本発明は、前記課題を解決するための手段として、
液体を収容する容器が内部に設けられた本体と、該本体の開口を閉塞する蓋体と、前記液体を加熱する加熱手段とからなり、前記液体から生じた蒸気が、前記蓋体下面に設けられた蒸気流入口と前記蓋体上面に設けられた蒸気排出口とを接続する蒸気通路を介して前記本体外部に排出可能である貯湯容器において、
前記蒸気通路に前記液体を貯水するための複数の貯水部を設けるとともに、それぞれの前記複数の貯水部に、前記蒸気通路の上流側と接続された貯水部流入口および前記蒸気通路の下流側と接続された貯水部流出口を設け、前記複数の貯水部は前記蒸気通路を介して順次連通するように配設されており、前記蒸気流入口および複数の前記貯水部流出口の少なくとも１つは、前記貯湯容器が転倒した場合の前記容器内の液体の液位より上方に位置するものである。
【０００８】
前記発明では、貯湯容器が転倒した場合において、蓋体の蒸気流入口が容器内の液体の液位より上方に位置するとき、液体は蓋体内部に流入することなく容器内に貯水される。一方、蓋体の蒸気流入口が容器内の液体の液位より下方に位置するとき、容器内の液体が貯水部に流入する。そして、蒸気通路の下流側と接続された貯水部流出口の少なくとも１つは、容器内の液体の液位より上方に位置するので、貯水部内に流入した液体が蒸気通路を介して本体外部に流出することを防止できる。
【０００９】
前記複数の貯水部を前記蓋体内部において階層式に配設することにより、蓋体内部に貯水部および蒸気通路を配置し易くなる。また、貯水部をお互いに隔離することが容易となる。
【００１０】
前記複数の貯水部のうち前記蓋体下面側に位置する貯水部の前記貯水部流入口は、前記蓋体の蒸気流入口であることが好ましい。
【００１１】
前記蓋体下面側に位置する貯水部は、前記蓋体下部に取り付けられた中板と内蓋とからなることが好ましい。
【００１２】
前記複数の貯水部のうち前記蓋体上面側に位置する貯水部の前記貯水部流出口は、前記蓋体の蒸気排出口であることが好ましい。
【００１３】
前記蒸気通路に３つの前記貯水部を設けるとともに、前記蒸気流入口および３つの前記貯水部流出口の少なくとも１つは、前記貯湯容器が前後左右のいずれかの方向に転倒した場合の前記容器内の液体の液位より上方に位置することが好ましい。
【００１４】
前記貯水部に、前記貯湯容器が転倒した場合の前記液体の液位より上方に位置する圧力逃し用の小孔を設けることが好ましい。これにより、転倒時に貯水部内の空気層の急激な内圧上昇を防止できる。
【００１５】
前記貯水部に、圧力逃し用の通路を設け、該通路の両端部は、前記貯湯容器が前方に転倒した場合の前記液体の液位より上方に位置するとともに、異なる前記貯水部にそれぞれ位置し、該通路の一部は、前記貯湯容器が後方に転倒して該通路の両端部が前記液体の液位より下方に位置する場合の液位より上方に位置することが好ましい。これにより、沸騰直後に貯湯容器が転倒した場合でも貯水部内の空気層の急激な内圧上昇を防止できる。
【００１６】
前記貯水部の底面に、前記貯水部内に結露した液体を前記蒸気通路を介して再び前記容器内に環流させるための斜面を形成することが好ましい。
【００１７】
前記貯水部流出口または前記貯水部流入口に、弾性体からなる舌片を設けることにより、貯湯容器の保温時において貯水部流出口または前記貯水部流入口を遮断し、保温効果を高めることができる。
【００１８】
前記内蓋に、複数の貫通口を設け、該貫通口の少なくとも１つは前記貯湯容器が転倒した場合の前記液体の液位より上方に位置するものであってもよい。
【００１９】
前記蓋体内部に前記貯水部の貯水部流入口が形成される中板を設け、該中板に形成された貯水部流入出口は前記貯湯容器が後方と右方又は左方の２方向に転倒した場合の前記液体の液位より上方に位置するものであってもよい。
【００２０】
前記内蓋と前記中板は、前記内蓋の外縁部に設けられた内蓋パッキンを介して一体であってもよい。
【００２１】
本発明は、前記課題を解決するための他の手段として、
液体を収容する容器が内部に設けられた本体と、該本体の開口を閉塞する蓋体と、前記液体を加熱する加熱手段とからなり、前記液体から生じた蒸気が、前記蓋体下面に設けられた蒸気流入口と前記蓋体上面に設けられた蒸気排出口とを接続する蒸気通路を介して前記本体外部に排出可能である貯湯容器において、
前記蒸気通路に前記液体を貯水するための貯水部を設け、
前記貯水部に、圧力逃し用の第１通路および第２通路を設け、
前記貯湯容器が後方に転倒して前記第１通路の上流端が前記液体の液位より下方に位置する場合、前記第１通路の一部は前記液位より上方に位置するとともに、前記第２通路の上流端は前記液体の液位より上方に位置し、一方、前記貯湯容器が前方に転倒して前記第２通路の上流端が前記液体の液位より下方に位置する場合、前記第２通路の一部は前記液位より上方に位置するとともに、前記第１通路の上流端は前記液体の液位より上方に位置するものである。
【００２２】
前記発明では、貯湯容器が転倒した場合、容器内の液体が貯水部に貯水される。そして、貯水された液体は液位より下方に位置する第１通路の上流端または第２通路の上流端を介して第１通路または第２通路内に流入するが、第１通路または第２通路の一部が液位より上方に位置するので、貯水部内に流入した液体が蒸気通路を介して本体外部に流出することを防止できる。また、貯水部内の空気は、液体の液位より上方に位置する第２通路の上流端または第１通路の上流端を介して放出されるので、貯水部内の内圧力上昇が防止される。
【００２３】
前記貯水部の前記貯水部流入口は、前記蓋体の蒸気流入口であることが好ましい。
【００２４】
前記貯水部は、前記蓋体下部に取り付けられた中板と内蓋とからなることが好ましい。
【００２５】
前記貯水部の底面に、前記貯水部内に結露した液体を前記蒸気通路を介して再び前記容器内に環流させるための斜面を形成することが好ましい。
【００２６】
前記内蓋に、複数の貫通口を設け、該貫通口の少なくとも１つは前記貯湯容器が転倒した場合の前記液体の液位より上方に位置することが好ましい。
【００２７】
前記内蓋と前記中板は、前記内蓋の外縁部に設けられた内蓋パッキンを介して一体であることが好ましい。
【００２８】
【発明の実施の形態】
以下、本発明の実施の形態を添付図面にしたがって説明する。
【００２９】
図１は、本発明の第１実施形態に係る貯湯容器である電気ポット１を示す。この電気ポット１は、本体２と、該本体２の上部にヒンジ軸２ａを介して開閉自在に取り付けられた蓋体３とからなる。
【００３０】
前記本体２の内部には、水を収容する縦長の容器４が収容されており、この容器４の底外面には、収容された水を加熱して沸騰させる湯沸しヒータ５が設けられている。また、本体２の容器４下側には、前記容器４内の湯を吐出する吐出手段である図示しない電動ポンプが配設されている。本体２上部にはノーズ部２ｂが形成され、このノーズ部２ｂには、前記電動ポンプが吐出したお湯をノーズ部２ｂ下面から吐出する吐出口２ｃが設けられている。
【００３１】
前記蓋体３は、前記本体２上部において閉じられると前記容器４の上端開口部を閉塞するものであり、蓋本体６、中板７および内蓋８からなる。
【００３２】
前記蓋本体６は、図２（ａ），（ｂ）に示すように、上板１１と下板１５とからなる略円板形状であって、上板１１と下板１５との間には横断面が半月形状である側壁１２を有する下端開口の凹所１３が形成されている。前記凹所１３内側には、側壁１２に設けられた基端部１４ｂから左右方向に伸長するリブ１４が形成され、このリブ１４の先端部１４ａは、側壁１２近傍に位置して後述する隙間４３を形成している。また、凹所１３はリブ１４によって前方の第１凹所１３ａと後方の第２凹所１３ｂに区画されている。
【００３３】
前記下板１５の下面には、前記中板７の外縁部が嵌合する嵌合溝１５ａが凹所１３開口部外縁に沿うように形成されている。さらに、下板１５の下面には、前記内蓋８を位置決めするための突起部１５ｂが下方に突出するように形成されている。また、前記上板１１には、後述するように前記容器４内に収容された液体から生じる蒸気を本体２外部へと排出するための蒸気排出口１６と、前記中板７および内蓋８を取り付け固定するための図示しないビスが下方から嵌合されるようになっている３つの取付部１７とが設けられている。また、前記蒸気排出口１６は、前記本体２の後方の外周近傍に形成されている。
【００３４】
前記中板７は、図３（ａ），（ｂ）に示すように、半月形状であって、外縁部上面には前記蓋本体６の嵌合溝１５ａに沿うように凹所１３の周縁部が嵌合する嵌合溝２１ａが形成され、これにより中板７の外縁部が前記蓋本体６の嵌合溝１５ａに嵌合するようになっている。また、中板７の中央部には前記蓋本体６のリブ１４下端が嵌合する嵌合溝２１ｂが形成されている。また、この嵌合溝２１ｂにより前方側に第１上面２５ａと後方側に第２上面２５ｂとが形成されている。また、前記中板７の右方の外縁部近傍には、外周に沿って５つの貫通口２２が設けられている。一方、前記中板７の貫通口２２と反対側に位置する左方の外縁部近傍には、圧力逃し用のサブ通路である５つの小孔２３が設けられている。さらに、中板７の下面には、前記蓋本体６の取付部１７がそれぞれ嵌合する受け部２４が形成されており、受け部２４の底面には前記図示しないビスが貫通する３つの嵌合穴２４ａが形成されている。また、中板７の上面の第２上面２５ｂは、右方から左方に向かって下り勾配の斜面で形成され、第１上面２５ａは、左方から右方に向かって下り勾配の斜面で形成されている。
【００３５】
前記内蓋８は、図４（ａ），（ｂ）に示すように、側壁３１と底面３２とからなる皿形状である。この底面３２の前方の外縁部近傍には外周に沿って４つの貫通口３３が設けられるとともに、左方および右方の外縁部近傍には外周に沿って圧力逃し用のサブ通路である３つの小孔３４がそれぞれ形成されている。さらに、前記４つの貫通孔３３の間には、内蓋８を前記蓋本体６に取り付けるときに内蓋８を位置決めするために蓋本体６の突起部１５ｂ先端部が嵌合する嵌合穴３５が形成されている。また、底面３２には、図３（ａ）において上方に凸形状である３つの取付部３６が形成され、それぞれの取付部３６の中心には前記図示しないビスが貫通する取付孔３６ａが形成されている。また、底面３２は、図４（ａ），（ｂ）において後方側から前方側に向かって下り勾配の斜面となっており、この斜面において貫通孔３３は最下端近傍に位置している。
【００３６】
蓋本体６に中板７および内蓋８を組み付けるには、まず中板７を、中板７の嵌合溝２１ａおよび嵌合溝２１ｂに、蓋本体６の凹所１３の周縁部およびリブ１４の下端をそれぞれ嵌合させ、蓋本体６の凹所１３の下端開口部を閉塞するように蓋本体６の下方から取り付ける。その結果、図５に示すように、蓋本体６の第１凹所１３ａと中板７の第１上面２５ａとの間に第２貯水空間４１（貯水部）が形成され、蓋本体６の第２凹所１３ｂと中板７の第２上面２５ｂとの間に第３貯水空間４２（貯水部）が形成される。この第２貯水空間４１は、図２（ｂ）に示すように、蓋本体６の左方の外縁部近傍に位置するリブ１４の先端部１４ａと側壁１２との隙間４３により第３貯水空間４２と連通している。また、第２貯水空間４１は、中板７の貫通口２２および小孔２３を介して中板７の下面側と連通している。
【００３７】
次に、内蓋８の嵌合穴３５に蓋本体６の突起部１５ｂを嵌合させるとともに、内蓋８の側壁３１の上端３１ａを蓋本体６の段部１８に嵌合させた状態で、取付部３６の取付孔３６ａにビスを嵌合させて内蓋８を蓋本体６に固定する。その結果、図５に示すように、蓋本体６の下板１５、中板７および内蓋８の底面３２により第１貯水空間４４（貯水部）が形成される。この第１貯水空間４４は、蓋本体６の前方の外周近傍に位置する内蓋８の貫通口３３を介して容器４内部と連通している。
【００３８】
湯沸しヒータ５により加熱された容器４内の液体から生じる蒸気は、図５および図６の矢印Ａで示すように、内蓋８の貫通口３３を介して第１貯水空間４４内に導入される。蓋本体６内に導入された蒸気は、図５および図７の矢印Ｂで示すように、中板７の貫通口２２を介して第２貯水空間４１内に導入され、次に、図５および図８の矢印Ｃで示すように、隙間４３を迂回して第３貯水空間４２に流入する。そして、第３貯水空間４２内の蒸気は、蓋本体６の蒸気排出口１６を介して外部に排出される。このように、蓋本体６下面に位置する内蓋８の貫通口３３（蒸気流入口）と蓋本体６上面に位置する蒸気排出口１６とを接続する蒸気通路が形成されている。
【００３９】
次に、前記構成からなる電気ポットの作用を説明する。
【００４０】
ユーザが電気ポット１を使用中に電気ポット１を誤って後方に転倒させた場合、容器４内の液体の液位は、図６に示す２点鎖線Ｌ１となる。この場合、液位Ｌ１より内蓋８の貫通口３３の方が上方に位置するので、容器４内の液体は第１貯水空間４４内に流入することなく、蒸気通路を介して外部への液体流出が防止される。
【００４１】
また、電気ポット１が左方に転倒した場合、容器４内の液体の液位は、図６に示す２点鎖線Ｌ２まで達し、液体は内蓋８の貫通口３３を介して第１貯水空間４４に流入する。このとき、液位Ｌ２より上方に位置する小孔３４により容器４内の急激な内圧上昇が防止される。また、第１貯水空間４４内に流入した液体の液位は、図７に示す２点鎖線Ｌ２’まで達するが、液位Ｌ２’より中板７の貫通口２２の方が上方に位置するので、第１貯水空間４４内の液体は第２貯水空間４１内に流入することがない。これにより、蒸気通路を介する外部への液体流出が防止される。
【００４２】
また、電気ポット１が右方に転倒した場合、容器４内の液体の液位は、図６に示す２点鎖線Ｌ３まで達し、液体は内蓋８の貫通口３３を介して第１貯水空間４４に流入する。このとき、液位より上方に位置する小孔３４により容器４内の急激な内圧上昇が防止される。また、第１貯水空間４４内に流入した液体の液位は、図７に示す２点鎖線Ｌ３’まで達し、液体は中板７の貫通孔２２を介して第２貯水空間４１に流入する。その結果、第２貯水空間４１内に流入した液体の液位は、図８に示す２点鎖線Ｌ３”まで達するが、液位Ｌ３”より隙間４３の方が上方に位置するので、第２貯水空間４１内の液体は第３貯水空間４２内に流入することなく外部への液体流出が防止される。
【００４３】
また、電気ポット１が前方に転倒した場合、容器４内の液体の液位は、図６に示す２点鎖線Ｌ４となり、液体は内蓋８の貫通口３３を介して第１貯水空間４４に流入する。第１貯水空間４４内に流入した液体の液位は、図７に示す２点鎖線Ｌ４’まで達し、液体は中板７の貫通孔２２を介して第２貯水空間４１に流入する。このとき、液体は第２貯水空間４１を満たし、隙間４３を介して第３貯水空間４２に流入する。これにより、液体の液位は、図８に示す２点鎖線Ｌ４”まで達するが、液位Ｌ４”より蒸気排出口１６の方が上方に位置するので、第３貯水空間４２内の液体が蒸気排出口１６を介して外部へ流出することはない。
【００４４】
電気ポット１が転倒した後にユーザが再び電気ポット１を立て直した場合、前述したように第３貯水空間４２内に流入した液体は、下り勾配の第２上面２５ｂ上を流れ下り、第２貯水空間４１に流入する。第２貯水空間４１内に流入した液体は、下り勾配の第１上面２５ａ上を貫通孔２２に向かって流れ下り、第１貯水空間４４に導入される。この第１貯水空間４４内の液体は、底面３２上を貫通口３３に向かって流れ下り、貫通口３３（蒸気流入口）を介して容器４内に環流する。このように、第１上面２５ａ、第２上面２５ｂおよび底面３２は、第３貯水空間４２、第２貯水空間４１および第１貯水空間４４に流入した液体を環流させるとともに、それぞれの空間内において結露した液体を容器４内に環流させることもできる。
【００４５】
また、図９に示すように、内蓋８の貫通口３３のそれぞれに、弾性体からなる舌片５１を貫通口３３の開口面積を減少させるようにそれぞれ設けてもよい。これにより、電気ポット１の保温時に蒸気通路を遮断して、容器４内の液体の保温性を向上することができる。これにより、保温時に消費される湯沸しヒータ５の消費電力量の低減を図ることも可能である。また、舌片５１は、前述した容器４内へ環流する液体の重量または湯沸し時に生じる蒸気圧力により、貫通口３３の外縁部が当接する中央部５２または舌片５１の基端部５３を支点にして上方または下方に変形することができる。これにより、前述した液体または蒸気の通路を確保できる。
【００４６】
また、前記第１実施形態の変形例として、図１０（ａ），（ｂ）に示すように、中板７の外縁部近傍の右斜め前方に前記貫通口２２の代わりに貫通口２２’を設け、圧力逃し用のサブ通路である小孔２３を設ける代わりに圧力逃し用の通路としてチューブ６０を設けてもよい。このチューブ６０は、中板７の貫通口２２’を通過してチューブ６０の両端が中板７を介して上方下方にそれぞれ位置する。また、チューブ６０の両端は、中板７の外縁部近傍の左斜め後方に位置するように設けられている。
【００４７】
さらに、図１１（ａ），（ｂ）に示すように、内蓋８の外周部近傍には、外周に沿って圧力逃し用のサブ通路である３つの小孔３４が形成されていたが、小孔３４の代わりに外縁部近傍の左方、右方および後方に４ｍｍ以上の直径を有する複数の貫通口３３’を設けてもよい。
【００４８】
この構成からなる電気ポット１を誤って後方に転倒させた場合、容器４内の液体の液位は、図１２に示す２点鎖線Ｌ１となり、容器４内の液体は３つの貫通口３３’を介して第１貯水空間４４内に流入する。このとき、液位より上方に位置する貫通口３３により容器４内の急激な内圧上昇が防止される。また、第１貯水空間４４内に流入した液体の液位は、図１３に示す２点鎖線Ｌ１’まで達するが、液位Ｌ１’より中板７の貫通口２２’の方が上方に位置するので、第１貯水空間４４内の液体は第２貯水空間４１内に流入することがない。これにより、蒸気通路を介する外部への液体流出が防止される。また、貫通口２２’により第１貯水空間４４内の急激な内圧上昇が防止されるので、沸騰直後に電気ポット１を転倒させた場合でも、蒸気通路を介する外部への液体流出が防止される。
【００４９】
また、電気ポット１が左方に転倒した場合、容器４内の液体の液位は、図１２に示す２点鎖線Ｌ２となり、容器４内の液体は貫通口３３および外縁部近傍の左方および後方に設けられた貫通口３３’を介して第１貯水空間４４内に流入する。このとき、液位より上方に位置する外縁部近傍の右方に設けられた貫通口３３’により容器４内の急激な内圧上昇が防止される。第１貯水空間４４内に流入した液体の液位は、図１３に示す２点鎖線Ｌ２’まで達するが、液位Ｌ２’より中板７の貫通口２２’の方が上方に位置するので、第１貯水空間４４内の液体は第２貯水空間４１内に流入することがない。これにより、蒸気通路を介する外部への液体流出が防止される。また、貫通口２２’により第１貯水空間４４内の急激な内圧上昇が防止されるので、沸騰直後に電気ポット１を転倒させた場合でも、蒸気通路を介する外部への液体流出が防止される。
【００５０】
また、電気ポット１が右方に転倒した場合、容器４内の液体の液位は、図１２に示す２点鎖線Ｌ３まで達し、液体は内蓋８の貫通口３３および貫通口３３’を介して第１貯水空間４４に流入する。このとき、液位より上方に位置する貫通口３３’により容器４内の急激な内圧上昇が防止される。また、第１貯水空間４４内に流入した液体の液位は、図１３に示す２点鎖線Ｌ３’まで達し、液体は中板７の貫通孔２２’を介して第２貯水空間４１に流入し、第２貯水空間４１内に流入した液体の液位は、図１４に示す２点鎖線Ｌ３”まで達する。このとき、チューブ６０の両端は、液位Ｌ３’および液位Ｌ３”よりそれぞれ上方に位置するので、容器４内の内圧は貫通口３３、貫通口３３’チューブ６０および蒸気排出口１６を介して放出される。これにより、第１貯水空間４４内の急激な内圧上昇が防止されるので、沸騰直後に電気ポット１を転倒させた場合でも蒸気通路を介する外部への液体流出が防止される。そして、第２貯水空間４１内に流入した液体の液位Ｌ３”より隙間４３の方が上方に位置するので、第２貯水空間４１内の液体は第３貯水空間４２内に流入することなく外部への液体流出が防止される。
【００５１】
また、電気ポット１が前方に転倒した場合、容器４内の液体の液位は、図１２に示す２点鎖線Ｌ４となり、液体は内蓋８の貫通口３３および貫通口３３’を介して第１貯水空間４４に流入する。このとき、液位より上方に位置する貫通口３３’により容器４内の急激な内圧上昇が防止される。また、第１貯水空間４４内に流入した液体の液位は、図１３に示す２点鎖線Ｌ４’まで達し、液体は中板７の貫通孔２２’を介して第２貯水空間４１に流入し、第２貯水空間４１内に流入した液体は第２貯水空間４１を満たし、隙間４３を介して第３貯水空間４２に流入し、液体の液位は、図１４に示す２点鎖線Ｌ４”まで達する。このとき、チューブ６０の両端は、液位Ｌ４’および液位Ｌ４”よりそれぞれ上方に位置するので、容器４内の内圧は貫通口３３、貫通口３３’チューブ６０および蒸気排出口１６を介して放出される。これにより、第１貯水空間４４内の急激な内圧上昇が防止されるので、沸騰直後に電気ポット１を転倒させた場合でも、蒸気通路を介する外部への液体流出が防止される。そして、液体の液位Ｌ４”より蒸気排出口１６の方が上方に位置するので、第３貯水空間４２内の液体が蒸気排出口１６を介して外部へ流出することはない。
【００５２】
電気ポット１が転倒した後にユーザが再び電気ポット１を立て直した場合、前述したように第１貯水空間４４に導入された液体は、貫通口３３および３つの貫通口３３’を介して容器４内に環流できるので、前記実施形態に比べ環流に伴う水音が低減される。また、中板７には貫通口２２’のみ設け、前記実施形態における圧力逃し用のサブ通路である５つの小孔２３は設けられていないので、電気ポット１が転倒したとき、完全に液体の外部流出を防止できる。
【００５３】
また、図１５（ａ），（ｂ）に示すように、前記チューブ６０を中板７の貫通口２２’を通過させて両端を中板７の上方下方にそれぞれ位置させずに、貫通口２２’の位置で折り曲げ、チューブ６０の一端を中板７の第２上面２５ｂから突出させてもよい。また、チューブ６０を中板７に取り付け固定するのではなく、中板７の成形時に一体成形により設けてもよい。
【００５４】
図１６は、本発明の第２実施形態に係る貯湯容器である電気ポット１’を示す。この電気ポット１’のうち前記実施形態と同様であるものは、同一符号を付すことにより説明を省略する。
【００５５】
図１７（ａ），（ｂ）は、蓋本体６を示す。蓋本体６は、下板１５からなる略円板形状であって、下板１５には横断面が円形状である側壁１２を有する下端開口の凹所１３が形成されている。前記凹所１３内側には、下板１５の下面にはリブ１４’が形成され、凹所１３はリブ１４’によって第１凹所１３ａと後方の第２凹所１３ｂに区画されている。前記リブ１４’の下端面には、後述する下板カバー７０の外縁部が嵌合する嵌合溝１５ａが、リブ１４’に沿って形成されている。
【００５６】
前記下板カバー７０は、図１８（ａ），（ｂ）に示すように、左斜め後方から右斜め前方に向かって伸長する板部７１からなる。この板部７１のリブ７２の上面には、前記蓋本体６の嵌合溝１５ａに沿うようにリブ１４’の周縁部が嵌合する嵌合溝７２ａが形成され、これによりリブ７２の外縁部が前記蓋本体６の嵌合溝１５ａに嵌合するようになっている。
【００５７】
中板７は、図１９（ａ），（ｂ）に示すように、円形状であって、中板７の外縁部近傍の左斜め前方に矩形状の貫通口２２”が形成され、この貫通口２２”には圧力逃し用のチューブ６０が通過している。このチューブ６０の両端は、中板７を介して上方下方にそれぞれ位置し、中板７の外縁部近傍の右方に固定部２６によりそれぞれ固定されている。また、蓋本体６の突起部１５ｂの先端部が嵌合する嵌合穴２７が形成されている。
【００５８】
また、内蓋８には、図２０（ａ），（ｂ）に示すように、外周部近傍の左方、右方および後方に４ｍｍ以上の直径を有する複数の貫通口３３’が設けられている。
【００５９】
蓋本体６に中板７および内蓋８を組み付けるには、まず下板カバー７０を、蓋本体６の第２凹所１３ｂの下端開口部を閉塞するように蓋本体６の下方から取り付ける。その結果、図２１に示すように、蓋本体６の第２凹所１３ｂと下板カバー７０との間に第３貯水空間４２（貯水部）が形成される。
【００６０】
そして、中板７と内蓋８の外周部をパッキン７３により一体に固定した後、内蓋８の嵌合穴３５に蓋本体６の突起部１５ｂを嵌合させるとともに、パッキン７３を蓋本体６の段部１８の下端に当接させた状態で、取付部３６の取付孔３６ａにビスを嵌合させて内蓋８を蓋本体６に固定する。その結果、蓋本体６の第１凹所１３ａと中板７との間に第２貯水空間４１（貯水部）が形成される。この第２貯水空間４１は、図１７（ｂ）に示すように、第３貯水空間４２の開口部４２ａを介して第３貯水空間４２と連通している。また、第２貯水空間４１は、中板７の貫通口２２”を介して中板７の下面側と連通している。
【００６１】
また、中板７と内蓋８の底面３２により第１貯水空間４４（貯水部）が形成されている。この第１貯水空間４４は、蓋本体６の外周近傍に位置する内蓋８の貫通口３３、３３’を介して容器４内部と連通している。
【００６２】
湯沸しヒータ５により加熱された容器４内の液体から生じる蒸気は、図２１および図２２の矢印Ａで示すように、内蓋８の貫通口３３および貫通口３３’を介して第１貯水空間４４内に導入される。蓋本体６内に導入された蒸気は、図２１および図２３の矢印Ｂで示すように、中板７の貫通口２２”を介して第２貯水空間４１内に導入され、次に、図２１および図２４の矢印Ｃで示すように、開口部４２ａを介して第３貯水空間４２に流入する。そして、第３貯水空間４２内の蒸気は、蓋本体６の蒸気排出口１６を介して外部に排出される。このように、蓋本体６下面に位置する内蓋８の貫通口３３（蒸気流入口）および貫通口３３’（蒸気流入口）と蓋本体６上面に位置する蒸気排出口１６とを接続する蒸気通路が形成されている。
【００６３】
この構成からなる電気ポット１を誤って後方に転倒させた場合、容器４内の液体の液位は、図２２に示す２点鎖線Ｌ１となり、容器４内の液体は３つの貫通口３３’を介して第１貯水空間４４内に流入する。このとき、液位より上方に位置する貫通口３３により容器４内の急激な内圧上昇が防止される。また、第１貯水空間４４内に流入した液体の液位は、図２３に示す２点鎖線Ｌ１’まで達するが、液位Ｌ１’より中板７の貫通口２２”の方が上方に位置するので、第１貯水空間４４内の液体は第２貯水空間４１内に流入することがない。これにより、蒸気通路を介する外部への液体流出が防止される。また、貫通口２２”により第１貯水空間４４内の急激な内圧上昇が防止されるので、沸騰直後に電気ポット１を転倒させた場合でも、蒸気通路を介する外部への液体流出が防止される。
【００６４】
また、電気ポット１が右方に転倒した場合、容器４内の液体の液位は、図２２に示す２点鎖線Ｌ３まで達し、液体は内蓋８の貫通口３３および貫通口３３’を介して第１貯水空間４４に流入する。このとき、液位より上方に位置する貫通口３３’により容器４内の急激な内圧上昇が防止される。また、第１貯水空間４４内に流入した液体の液位は、図２３に示す２点鎖線Ｌ３’まで達するが、電気ポット１が後方に転倒した場合と同様に、液位Ｌ３’より中板７の貫通口２２”の方が上方に位置するので、第１貯水空間４４内の液体は第２貯水空間４１内に流入することがない。これにより、蒸気通路を介する外部への液体流出が防止される。また、貫通口２２”により第１貯水空間４４内の急激な内圧上昇が防止されるので、沸騰直後に電気ポット１を転倒させた場合でも、蒸気通路を介する外部への液体流出が防止される。
【００６５】
また、電気ポット１が左方に転倒した場合、容器４内の液体の液位は、図２２に示す２点鎖線Ｌ２となり、容器４内の液体は貫通口３３および外縁部近傍の左方および後方に設けられた貫通口３３’を介して第１貯水空間４４内に流入する。このとき、液位より上方に位置する外縁部近傍の右方に設けられた貫通口３３’により容器４内の急激な内圧上昇が防止される。第１貯水空間４４内に流入した液体の液位は、図２３に示す２点鎖線Ｌ２’まで達し、液体は中板７の貫通孔２２”を介して第２貯水空間４１に流入し、第２貯水空間４１内に流入した液体の液位は、図２４に示す２点鎖線Ｌ２”まで達する。このとき、チューブ６０の両端は、液位Ｌ２’および液位Ｌ２”よりそれぞれ上方に位置するので第１貯水空間４４内の急激な内圧上昇が防止されるので、沸騰直後に電気ポット１を転倒させた場合でも蒸気通路を介する外部への液体流出が防止される。そして、第２貯水空間４１内に流入した液体の液位Ｌ２”より第３貯水空間４２の開口部４２ａの方が上方に位置するので、第２貯水空間４１内の液体は第３貯水空間４２内に流入することなく外部への液体流出が防止される。
【００６６】
また、電気ポット１が前方に転倒した場合、電気ポット１のノーズ部２ｂが下側に位置するので容器４内の液体の液位は、図２２に示す２点鎖線Ｌ４となり、液体は内蓋８の貫通口３３および貫通口３３’を介して第１貯水空間４４に流入する。このとき、液位より上方に位置する貫通口３３’により容器４内の急激な内圧上昇が防止される。また、第１貯水空間４４内に流入した液体の液位は、図２３に示す２点鎖線Ｌ４’まで達し、液体は中板７の貫通孔２２”を介して第２貯水空間４１に流入し、第２貯水空間４１内に流入した液体は第２貯水空間４１を満たし、開口部４２ａを介して第３貯水空間４２に流入し、液体の液位は、図２４に示す２点鎖線Ｌ４”まで達する。このとき、チューブ６０の両端は、液位Ｌ４’および液位Ｌ４”よりそれぞれ上方に位置するので第１貯水空間４４内の急激な内圧上昇が防止されるので、沸騰直後に電気ポット１を転倒させた場合でも、蒸気通路を介する外部への液体流出が防止される。そして、液体の液位Ｌ４”より蒸気排出口１６の方が上方に位置するので、第３貯水空間４２内の液体が蒸気排出口１６を介して外部へ流出することはない。
【００６７】
電気ポット１が転倒した後にユーザが再び電気ポット１を立て直した場合、前述したように第１貯水空間４４に導入された液体は、貫通口３３および３つの貫通口３３’を介して容器４内に環流できるので、前記第１実施形態に比べて環流に伴う水音が低減される。
【００６８】
また、図２５に示すように、さらにチューブ６０ａを設け、電気ポット１が前方に転倒したときの第１貯水空間４４内の急激な内圧上昇を確実に防止するようにしてもよい。
【００６９】
次に、本発明の第３実施形態を説明する。この第３実施形態において、蓋本体６および中板７の一部が前記第２実施形態と相違する点以外は同様であるので、同一符号を付すことにより説明を省略する。
【００７０】
蓋本体６は、図２６（ａ），（ｂ）に示すように、前記第２実施形態において、凹所１３内側の下板１５の下面に形成されたリブ１４’が省かれている。
【００７１】
中板７は、図２７に示すように、円板形状であって、圧力逃し用の通路であるチューブ６０（第１通路）およびチューブ６０ｂ（第２通路）を有する。チューブ６０の両端は、中板７を介して上方下方にそれぞれ位置し、中板７の外縁部近傍の右方に固定部２６によりそれぞれ固定されている。また、チューブ６０の一部は中板７の外縁部近傍の左斜め前方を通過している。一方、チューブ６０ｂの両端は、中板７を介して上方下方にそれぞれ位置し、中板７の外縁部近傍の左斜め前方に固定部２６’によりそれぞれ固定されている。また、チューブ６０ｂの一部は中板７の外縁部近傍の右方を通過している。
【００７２】
そして、蓋本体６に中板７および内蓋８を組み付け固定することにより、蓋本体６の凹所１３と中板７との間に第２貯水空間４１（貯水部）が形成される。この第２貯水空間４１は、中板７のチューブ６０およびチューブ６０ｂを介して中板７の下面側と連通している。
【００７３】
また、中板７と内蓋８の底面３２により第１貯水空間４４（貯水部）が形成されている。この第１貯水空間４４は、蓋本体６の外周近傍に位置する内蓋８の貫通口３３、３３’を介して容器４内部と連通している。
【００７４】
湯沸しヒータ５により加熱された容器４内の液体から生じる蒸気は、図２８の矢印Ａで示すように、内蓋８の貫通口３３および貫通口３３’を介して第１貯水空間４４内に導入される。蓋本体６内に導入された蒸気は、図２９の矢印Ｂで示すように、中板７のチューブ６０およびチューブ６０ｂを介して第２貯水空間４１内に導入され、蓋本体６の蒸気排出口１６を介して外部に排出される。このように、蓋本体６下面に位置する内蓋８の貫通口３３（蒸気流入口）および貫通口３３’（蒸気流入口）と蓋本体６上面に位置する蒸気排出口１６とを接続する蒸気通路が形成されている。
【００７５】
この構成からなる電気ポット１を誤って後方に転倒させた場合、容器４内の液体の液位は、図２８に示す２点鎖線Ｌ１となり、容器４内の液体は３つの貫通口３３’を介して第１貯水空間４４内に流入する。このとき、液位より上方に位置する貫通口３３により容器４内の急激な内圧上昇が防止される。また、第１貯水空間４４内に流入した液体の液位は、図２９に示す２点鎖線Ｌ１’まで達するが、液位Ｌ１’よりチューブ６０の一部が上方に位置するので、第１貯水空間４４内の液体は第２貯水空間４１内に流入することがない。これにより、蒸気通路を介する外部への液体流出が防止される。また、チューブ６０ｂの上流端が液位Ｌ１’より上方に位置するので、第１貯水空間内４１の内圧は、チューブ６０ｂを介して放出されて急激な内圧上昇が防止される。これにより、沸騰直後に電気ポット１を転倒させた場合でも、蒸気通路を介する外部への液体流出が防止される。
【００７６】
また、電気ポット１が右方に転倒した場合、容器４内の液体の液位は、図２８に示す２点鎖線Ｌ３まで達し、液体は内蓋８の貫通口３３および貫通口３３’を介して第１貯水空間４４に流入する。このとき、液位より上方に位置する貫通口３３’により容器４内の急激な内圧上昇が防止される。また、第１貯水空間４４内に流入した液体の液位は、図２９に示す２点鎖線Ｌ３’まで達するが、電気ポット１が後方に転倒した場合と同様に、液位Ｌ３’よりチューブ６０の一部の方が上方に位置するので、第１貯水空間４４内の液体は第２貯水空間４１内に流入することがない。これにより、蒸気通路を介する外部への液体流出が防止される。また、チューブ６０ｂの上流端が液位Ｌ３’より上方に位置するので、第１貯水空間内４１の内圧は、チューブ６０ｂを介して放出されて急激な内圧上昇が防止される。これにより、沸騰直後に電気ポット１を転倒させた場合でも、蒸気通路を介する外部への液体流出が防止される。
【００７７】
また、電気ポット１が左方に転倒した場合、前述した後方および右方に転倒した場合と同様に、容器４内の液体は、図２８に示すように、第１貯水空間４４内に流入して液位は２点鎖線Ｌ２まで達する。このとき、液位より上方に位置する貫通口３３’により容器４内の急激な内圧上昇が防止される。また、第１貯水空間４４内に流入した液体の液位は、図２９に示す２点鎖線Ｌ２’まで達するが、液位Ｌ２’よりチューブ６０ｂの一部が上方に位置するので、第１貯水空間４４内の液体は第２貯水空間４１内に流入することがない。これにより、蒸気通路を介する外部への液体流出が防止される。また、チューブ６０の上流端が液位Ｌ２’より上方に位置するので、第１貯水空間内４１の内圧は、チューブ６０を介して放出されて急激な内圧上昇が防止される。これにより、沸騰直後に電気ポット１を転倒させた場合でも、蒸気通路を介する外部への液体流出が防止される。
【００７８】
また、電気ポット１が前方に転倒した場合、電気ポット１のノーズ部２ｂが下側に位置するので容器４内の液体の液位は、図２８に示す２点鎖線Ｌ４となり、液体は内蓋８の貫通口３３および貫通口３３’を介して第１貯水空間４４に流入する。このとき、液位より上方に位置する貫通口３３’により容器４内の急激な内圧上昇が防止される。また、第１貯水空間４４内に流入した液体の液位は、図２９に示す２点鎖線Ｌ４’まで達し、液位Ｌ４’よりチューブ６０ｂの一部が上方に位置するので、第１貯水空間４４内の液体は第２貯水空間４１内に流入することがない。これにより、蒸気通路を介する外部への液体流出が防止される。また、チューブ６０の上流端が液位Ｌ４’より上方に位置するので、第１貯水空間内４１の内圧は、チューブ６０を介して放出されて急激な内圧上昇が防止される。これにより、沸騰直後に電気ポット１を転倒させた場合でも、蒸気通路を介する外部への液体流出が防止される。
【００７９】
電気ポット１が転倒した後にユーザが再び電気ポット１を立て直した場合、前述したように第１貯水空間４４に導入された液体は、貫通口３３および３つの貫通口３３’を介して容器４内に環流できるので、前記第２実施形態と同様に環流に伴う水音が低減される。
【００８０】
【発明の効果】
以上の説明から明らかなように、本発明によれば、蒸気通路に液体を貯水するための複数の貯水部を設けるとともに、蓋体の蒸気流入口および複数の貯水部流出口の少なくとも１つは、貯湯容器が転倒した場合の容器内の液体の液位より上方に位置するので、貯湯容器が転倒した場合、液体は容器内もしくは貯水部内に貯水されて蒸気通路を介して本体外部に流出することを確実に防止される。また、蒸気通路に従来のような弁機構が設けられていないので、急激に蓋を閉めたときの内圧上昇による液体の吐出は起こらない。
【図面の簡単な説明】
【図１】本発明の第１実施形態に係る貯湯容器の一部破断図。
【図２】（ａ）は、図１の蓋本体の断面図。（ｂ）は、（ａ）の底面図。
【図３】（ａ）は、図１の中板の断面図。（ｂ）は、（ａ）の底面図。
【図４】（ａ）は、図１の内蓋の断面図。（ｂ）は、（ａ）の底面図。
【図５】図１の一部拡大図。
【図６】図１の蓋体を底面方向から見た状態を示した部分図。
【図７】図６の内蓋を取り外した状態を示した部分図。
【図８】図７の中板を取り外した状態を示した部分図。
【図９】図１の変形例を示した一部拡大斜視図。
【図１０】（ａ）は、第１実施形態の変形例を示した中板の断面図。（ｂ）は、（ａ）の底面図。
【図１１】（ａ）は、第１実施形態の変形例を示した内蓋の断面図。（ｂ）は、（ａ）の底面図。
【図１２】第１実施形態の変形例を示した蓋体を底面方向から見た状態を示した部分図。
【図１３】図１２の内蓋を取り外した状態を示した部分図。
【図１４】図１３の中板を取り外した状態を示した部分図。
【図１５】（ａ）は、第１実施形態の変形例を示した中板の断面図。（ｂ）は、（ａ）の底面図。
【図１６】本発明の第２実施形態に係る貯湯容器の一部破断図。
【図１７】（ａ）は、図１６の蓋本体の断面図。（ｂ）は、（ａ）の底面図。
【図１８】（ａ）は、図１６の下板カバーの断面図。（ｂ）は、（ａ）の底面図。
【図１９】（ａ）は、図１６の中板の断面図。（ｂ）は、（ａ）の底面図。
【図２０】（ａ）は、図１６の内蓋の断面図。（ｂ）は、（ａ）の底面図。
【図２１】図１６の一部拡大図。
【図２２】図１６の蓋体を底面方向から見た状態を示した部分図。
【図２３】図２２の内蓋を取り外した状態を示した部分図。
【図２４】図２３の中板を取り外した状態を示した部分図。
【図２５】第２実施形態に係る変形例を示した蓋体の内蓋を取り外した状態を示した部分図。
【図２６】（ａ）は、本発明の第３実施形態に係る貯湯容器の蓋本体の断面図。（ｂ）は、（ａ）の底面図。
【図２７】第３実施形態に係る中板の底面図。
【図２８】第３実施形態に係る蓋体を底面方向から見た状態を示した部分図。
【図２９】図２８の内蓋を取り外した状態を示した部分図。
【符号の説明】
１    電気ポット（貯湯容器）
２    本体
３    蓋体
４    容器
５    湯沸しヒータ（加熱手段）
１６  蒸気排出口（貯水部流出口）
２２，２２’，２２”  貫通口（貯水部流出口、貯水部流入口）
３３，３３’  貫通口（蒸気流入口、貯水部流入口）
４１  第２貯水空間（貯水部）
４２  第３貯水空間（貯水部）
４３  隙間（貯水部流出口、貯水部流入口）
４４  第１貯水空間（貯水部）
Ｌ１、Ｌ２、Ｌ３、Ｌ４  液位
【図１】
0003602474.tif 000002
【図２】
0003602474.tif 000003
【図３】
0003602474.tif 000004
【図４】
0003602474.tif 000005
【図５】
0003602474.tif 000006
【図６】
0003602474.tif 000007
【図７】
0003602474.tif 000008
【図８】
0003602474.tif 000009
【図９】
0003602474.tif 000010
【図１０】
0003602474.tif 000011
【図１１】
0003602474.tif 000012
【図１２】
0003602474.tif 000013
【図１３】
0003602474.tif 000014
【図１４】
0003602474.tif 000015
【図１５】
0003602474.tif 000016
【図１６】
0003602474.tif 000017
【図１７】
0003602474.tif 000018
【図１８】
0003602474.tif 000019
【図１９】
0003602474.tif 000020
【図２０】
0003602474.tif 000021
【図２１】
0003602474.tif 000022
【図２２】
0003602474.tif 000023
【図２３】
0003602474.tif 000024
【図２４】
0003602474.tif 000025
【図２５】
0003602474.tif 000026
【図２６】
0003602474.tif 000027
【図２７】
0003602474.tif 000028
【図２８】
0003602474.tif 000029
【図２９】
0003602474.tif 000030